(57)【要約】      （修正有）【課題】本発明は、紙幣カセットの交換時に紙幣カセットに異常が発見されたとしても、その状態のまま自動取引装置の運用（取引）を継続することが可能な自動取引装置を提供する。【解決手段】自動取引装置１００は、交換自在に脱着可能でありかつそれぞれが所定の種類の紙幣を保持する複数の紙幣収納部１９と、前記複数の紙幣収納部の各々から紙幣を搬出する搬送部２５と、を含み、前記複数の紙幣収納部が交換された際に、当該交換の際に取り付けられた複数の紙幣収納部が異常であるか否かを判定する判定部と、を有し、前記搬送部は、前記判定部によって異常と判定された紙幣収納部から紙幣を搬出せずに取引を継続する。【選択図】図１
2017151763.tif 000002
【特許請求の範囲】
【請求項１】
交換自在に脱着可能でありかつそれぞれが所定の種類の紙幣を保持する複数の紙幣収納部と、
前記複数の紙幣収納部の各々から紙幣を搬出する搬送部と、を含み、
前記複数の紙幣収納部が交換された際に、当該交換の際に取り付けられた複数の紙幣収納部が異常であるか否かを判定する判定部と、を有し、
前記搬送部は、前記判定部によって異常と判定された紙幣収納部から紙幣を搬出せずに取引を継続することを特徴とする自動取引装置。
【請求項２】
前記搬送部は前記複数の紙幣収納部の交換の際に前記複数の紙幣収納部の各々から紙幣を搬出する搬出試行を行い、
前記判定部は、前記搬出試行の際に前記複数の紙幣収納部の各々からの紙幣の搬出の可否を判定し、不可と判定された紙幣収納部が異常であると判定することを特徴とする請求項１に記載の自動取引装置。
【請求項３】
前記搬送部によって前記複数の収納部の１の紙幣収納部から搬出される紙幣が前記１の紙幣収納部が保持すべき種類の紙幣であるか否かを鑑別する鑑別部を含み、
前記搬出試行が行われた際に前記鑑別部が前記１の紙幣収納部から搬出される紙幣が前記１の紙幣収納部が保持すべき紙幣の種類ではないと鑑別した場合に、前記判定部は、当該保持すべき紙幣の種類ではない紙幣の搬送元となった紙幣収納部が異常であると判定することを特徴とする請求項２に記載の自動取引装置。
【請求項４】
前記搬出試行は前記自動取引装置の現金精査の後に初めて前記複数の紙幣収容部が交換された際に行われることを特徴とする請求項２または３に記載の自動取引装置。
【請求項５】
前記判定部が前記所定の種類のうちの１の種類の紙幣を保持する紙幣収納部の全てが異常と判定した場合には、前記複数の紙幣収納部の全てから紙幣を搬出せずに取引をすることを特徴とする請求項１乃至４のいずれか１つに記載の自動取引装置。
【請求項６】
前記搬出試行において異常であると判定された紙幣収納部に対して、前記取引の継続後に再度搬出試行を行うことを特徴とする請求項２乃至４のいずれか１つに記載の自動取引装置。
【請求項７】
前記複数の紙幣収納部の異常であるかの判定結果を告知する告知部を有していることを特徴とする請求項１乃至６のいずれか１つに記載の自動取引装置。
【発明の詳細な説明】
【技術分野】
【０００１】
本発明は、自動取引装置に関する。
【背景技術】
【０００２】
金融機関の現金自動預け払い機（ＡＴＭ：Automated Teller Machine）及び現金自動支払い機（ＣＤ：Cash Dispenser）に代表される自動取引装置は、銀行等の金融機関の支店やコンビニエンスストア等の店舗に設置されている。
【０００３】
自動取引装置は、運用時には、出金取引時に繰り出される紙幣（紙葉）を金種毎に保持している紙幣カセットが装填される。出金取引時、紙幣カセットから繰り出された紙幣は、鑑別部において正常な紙幣か否かの鑑別がなされ、その後出金口に搬送される。この紙幣カセットは、例えば、現金の補充または回収のために交換される（特許文献１）。
【先行技術文献】
【特許文献】
【０００４】
【特許文献１】特開２０１３−１１４４１０号公報
【発明の概要】
【発明が解決しようとする課題】
【０００５】
自動取引装置においては、上述のように紙幣カセットが交換されて紙幣が補充される。銀行等の金融機関の店舗であって、ＡＴＭのみが設置されている無人店舗においては、例えば、金融機関に委託された警備会社の警備員等が紙幣のカセットの交換を行う。
【０００６】
この交換後に、新しくＡＴＭにセットした紙幣カセットに異常があることが判明した場合、警備員等は紙幣カセットの鍵を持っておらず、その場で紙幣カセットを開けることができないので紙幣カセットの異常に対処できないということが問題の一例として挙げられる。
【０００７】
本発明は、上述の点に鑑みてなされたものであり、紙幣カセットの交換時に紙幣カセットに異常が発見されたとしても、その状態のまま自動取引装置の運用（取引）を継続することが可能な自動取引装置を提供することを目的の１つとする。
【課題を解決するための手段】
【０００８】
本発明の自動取引装置は、交換自在に脱着可能でありかつそれぞれが所定の種類の紙幣を保持する複数の紙幣収納部と、前記複数の紙幣収納部の各々から紙幣を搬出する搬送部と、を含み、前記複数の紙幣収納部が交換された際に、当該交換の際に取り付けられた複数の紙幣収納部が異常であるか否かを判定する判定部と、を有し、前記搬送部は、前記判定部によって異常と判定された紙幣収納部から紙幣を搬出せずに取引を継続することを特徴とする。
【図面の簡単な説明】
【０００９】
【図１】本発明に係る自動取引装置としてのＡＴＭの構成を示す図である。
【図２】実施例１の試し出し動作実行制御ルーチンを示すフローチャートである。
【図３】実施例１の試し出し動作制御ルーチンを示すフローチャートである。
【図４】実施例１の運用モード決定ルーチンを示すフローチャートである。
【図５】ディスプレイの表示例を示す図である。
【図６】他の実施例の運用モード決定ルーチンを示すフローチャートである。
【図７】他の実施例の運用モード決定ルーチンを示すフローチャートである。
【図８】他の実施例の運用モード決定ルーチンを示すフローチャートである。
【図９】実施例１の試し出し処理実行可否判定ルーチンを示すフローチャートである。
【発明を実施するための形態】
【００１０】
本発明の現金処理装置を、銀行の支店または郵便局に設置されるＡＴＭを例に説明する。
【実施例１】
【００１１】
以下に本発明の実施例１のＡＴＭ１００について添付の図面を参照しつつ説明する。
［ＡＴＭ１００の内部構成］
図１は、実施例１のＡＴＭ１００の内部構成を示す構成図である。操作表示部１１は、顧客またはＡＴＭの管理者等への告知表示を行い、かつ顧客またはＡＴＭの管理者がＡＴＭ１００に対する操作入力を行うタッチパネルである。
【００１２】
紙幣入出金口１３は、ＡＴＭ１００への入金の際に、紙幣が入金（投入）される投入口である。また、紙幣投入出金口１３は、出金の際に、紙幣が出金（排出）される排出口ともなる。紙幣入出金口１３には、紙幣入出金口１３の開口部を開閉自在に移動可能なシャッタ１３Ｓが設けられている。
【００１３】
紙幣一時保留部１５は、ＡＴＭ１００内で搬送される紙幣、例えば、紙幣入出金口１３から取り込まれた紙幣または紙幣入出金口１３へ排出される紙幣が一時的に集積、滞留される領域である。紙幣一時保留部１５には、例えば、入金紙幣計数時等に、一時的に紙幣を集積、滞留させることができる。
【００１４】
紙幣収納部１７は、紙幣を収納する複数のカセットを含むカセット群であり、ＡＴＭ１００に対して脱着自在になっている。紙幣収納部１７は、紙幣入出金口１３から出金するための紙幣を金種毎に収納する金種別カセット１９Ａ−１９Ｄを含む。以下の実施例においては、一例として、カセット１９Ａ及び１９Ｂが千円券カセットであり、カセット１９Ｃ及び１９Ｄが一万円券カセットである場合を例に説明する。
【００１５】
また、紙幣収納部１７は、紙幣入出金口１３から入金された紙幣を収納する入金カセット２１を含む。また、紙幣収納部１７は、金種別カセット１９Ａ−１９Ｄから紙幣入出金口１３に排出される際に繰り出される紙幣が偽券または損券だった場合に、当該偽券または損券が入れられるリジェクト（ＲＪ）カセット２３を含んでいる。
【００１６】
例えば、紙幣収納部１７は、一定期間ごとに紙幣の補充等のために交換され得る。また、金種別カセット１９Ａ−１９Ｄは、通常時には施錠されており、収納されている紙幣の抜き取りが防止される。また、紙幣収納部１７には、紙幣収納部１７毎に異なったＩＤ番号が付されていてもよい。
【００１７】
搬送部２５（図中破線）は、ローラ等によって紙幣を送る機構を含んでおり、紙幣入出金口１３、紙幣一時保留部１５、及び紙幣収納部１７の各カセットとの間で紙幣を搬送可能に設けられている。
【００１８】
搬送部２５は、紙幣収納部１７の交換の際に、交換して取り付けられた新しい紙幣収納部１７の金種別カセット１９Ａ―１９Ｄの各々から試験的に紙幣を繰り出す試し出し動作を行う。この際、繰り出された紙幣は、例えば正券なら紙幣入出金口１３へ、偽券または損券ならば紙幣一時保留部１５に搬送される。なお、試し出し動作は、ＡＴＭ１００における精査処理の後に初めて紙幣収納部１７が交換された際に行われてもよい。
【００１９】
なお、精査処理とは、紙幣収納部１７の交換の前等のタイミングにおいて、紙幣収納部１７に収納されている紙幣の金種と枚数とを確定させる処理である。具体的には、精査処理は、例えば、金種別カセット１９Ａ−１９Ｄ及び入金カセット２１の各々に収納されている紙幣を全て、一旦繰り出して、紙幣の識別及び計数をし、その後、それらの紙幣を再び紙幣収納部１７に戻すことで行う。
【００２０】
紙幣鑑別部２７は、搬送部２５の一部に設けられており、搬送部２５によってＡＴＭ１００内を搬送される紙幣が正券・偽券であるか、紙幣が損券であるか、紙幣が表面・裏面であるか等の紙幣の状態を鑑別するものである。
【００２１】
紙幣鑑別部２７は、例えば、入金時に紙幣一時保留部１５から入金カセット２１に紙幣が搬送されるとき、出金時に金種別カセット１９Ａ−１９Ｄから紙幣一時保留部１５に紙幣が搬送されるときに当該搬送される紙幣を鑑別する。また、精査処理において、紙幣収納部１７のカセットの各々から紙幣が搬送されるときに、当該搬送される紙幣を鑑別する。また、紙幣鑑別部２７は、上記試し出し動作の際に、当該搬送される紙幣を鑑別する。
【００２２】
判定部としての処理制御部２９は、ＡＴＭ１００の機能を実行する処理部又は装置である。処理制御部２９は、例えば、ＣＰＵ、記憶部（例えば、ＲＯＭ、ＲＡＭ、ＥＥＰＲＯＭ等）、入出力インタフェース部等を有する回路で構成されるものであり、いわゆるソフトウェア処理により、各種機能が実現される。
【００２３】
処理制御部２９は、例えば、紙幣入出金口１３、紙幣一時保留部１５及び紙幣収納部１７の各カセットとの間での紙幣の搬送を搬送部２５に行わせる。また、処理制御部２９は、搬送部２５に試し出し動作を行わせ、当該結果に応じてＡＴＭ１００の運用（取引）モードを決定する。また、処理制御部２９は、試し出し動作の結果及び運用モードを操作表示部１１に表示する。運用モードには、例えば、機能の制限のない通常モードと、一部または全部のカセットからの紙幣の搬出を行わない出金縮退モードとがある。
［処理制御部において実行されるルーチン］
以下、処理制御部２９において実行されるルーチン例について説明する。
［試し出し動作実行管理ルーチン］
以下、図２を参照して、処理制御部２９において実行される試し出し動作実行管理ルーチンＲ１について説明する。ここでは、一例として、処理制御部２９が、ＡＴＭ１００において精査処理が行われかつ紙幣収納部１７の交換がなされた場合に試し出し動作を実行する場合のルーチンを説明する。試し出し動作実行管理ルーチンＲ１は、例えば、ＡＴＭ１００に電源が投入されると開始する。
【００２４】
ルーチンが開始されると、処理制御部２９は、精査処理がなされたか否かを判定する（Ｓ１）。この判定は、例えば、ＡＴＭ１００の管理者によって、タッチパネルを介して精査処理の操作が行われて、当該処理が終わった否かを判定することでなされてもよい。すなわち、精査処理が行われて、紙幣収納部１７から繰り出された全ての紙幣が再度紙幣収納部１７に収められたか否かで判定が行われてもよい。
【００２５】
処理制御部２９がステップＳ１において精査処理がなされていないと判定する（ステップＳ１：ＮＯ）と、その後ルーチンは終了する。処理制御部２９は、ステップＳ１において精査処理がなされたと判定する（ステップＳ１：ＹＥＳ）と、紙幣収納部１７の交換がなされたかを判定する（ステップＳ２）。
【００２６】
この判定においては、例えば、紙幣収納部１７の存在を検知するセンサ（図示せず）が、一度紙幣収納部１７の不存在を検知し、その後再度紙幣収納部１７の存在を検知した場合に紙幣収納部１７が交換されたと判定されてもよい。
【００２７】
なお、紙幣収納部１７毎に異なったＩＤ番号が付されている場合には、紙幣収納部１７のＩＤ番号を検出する検出機構（図示せず）がＡＴＭ１００に設けられていてもよい。例えば、この検出機構によって、ＩＤ番号を検出し、外された紙幣収納部１７と新たに取り付けられた紙幣収納部１７のＩＤ番号が異なっている場合に、紙幣収納部１７が交換されたと判定してもよい。
【００２８】
処理制御部２９は、ステップＳ２において、紙幣収納部１７の交換がなされたと判定する（ステップＳ２：ＹＥＳ）と、試し出し処理実行指令を発し（ステップＳ３）、その後ルーチンは終了する。ステップＳ２において、処理制御部２９が紙幣収納部１７の交換がなされていないと判定する（ステップＳ２：ＮＯ）と、その後ルーチンは終了する。
［試し出し動作制御ルーチン］
以下、図３を参照して、処理制御部２９によって実行される試し出し動作制御ルーチンＲ２について説明する。試し出し動作制御ルーチンＲ２は、処理制御部２９によって試し出し処理実行指令が発せられると開始する。
【００２９】
以下の処理においては、処理制御部２９が、搬送部２５によって紙幣の搬出及び搬送を行う。ルーチンが開始すると、ステップＳ１において、最初に例えば千円券カセットであるカセット１９Ａから紙幣の搬出が行われる。
【００３０】
処理制御部２９は、ステップＳ１を実行した後、カセット１９Ａから紙幣が搬出できたか否かを判定する（ステップＳ２）。この判定は、例えば、搬送部のカセット１９Ａの紙幣の出入り口にある紙幣検出センサ（図示せず）によって、紙幣が検出されたか否かを判定することで行われてもよい。
【００３１】
処理制御部２９は、ステップＳ２において、紙幣が搬出できなかったと判定する（ステップＳ２：ＮＯ）と、リトライ回数（ｉ）をインクリメントする（ステップＳ３）。処理制御部２９は、ステップＳ２において、紙幣が搬出できたと判定する（ステップＳ２：ＹＥＳ）と、搬出された紙幣が正常かを判定する（ステップＳ４）。この判定は、当該搬出された紙幣を紙幣鑑別部２７に搬送して、当該紙幣を鑑別することで行う。
【００３２】
カセット１９Ａから搬出が行われた場合、カセット１９Ａは千円券カセットであるので、搬出された紙幣が千円券でありかつ正券である場合に、搬出された紙幣が正常であると判定する。
【００３３】
処理制御部２９は、ステップＳ４において、紙幣が正常ではないと判定する（ステップＳ４：ＮＯ）と、当該紙幣を一時保留部１５に搬送し（ステップＳ５）、リトライ回数（ｉ）をインクリメントする（ステップＳ３）。
【００３４】
処理制御部２９は、ステップＳ３の実行後、リトライ回数（ｉ）が規定回数（ここでは５回）よりも大きいか、すなわちｉ＞５か否かを判定する（ステップＳ６）。処理制御部２９は、ステップＳ６において、ｉ＞５ではないと判定する（ステップＳ６：ＮＯ）と、再度ステップＳ１に戻り、ステップＳ２において紙幣が搬出できなかったと判定されたカセットであるカセット１９Ａからの紙幣の搬出を試みる。処理制御部２９は、ステップＳ６において、ｉ＞５であると判定すると（ステップＳ６：ＹＥＳ）、カセット１９Ａが異常であると判定する（Ｓ７）。
【００３５】
すなわち、本ルーチンにおいては、１つのカセットに対する搬出試行において、５回以上紙幣が正常に搬出できなかった場合に当該カセットが異常であると判定する。
【００３６】
処理制御部２９は、ステップＳ４において、紙幣が正常であると判定する（ステップＳ４：ＹＥＳ）と、紙幣を紙幣入出金口に搬送し（ステップＳ８）、カセットが正常であると判定する（ステップＳ９）。
【００３７】
処理制御部２９は、ステップＳ７及びステップＳ９を実行した後、全金種別カセット、すなわち金種別カセット１９Ａ−１９Ｄの全てからの搬出試行を行ったか否かを判定する（ステップＳ１０）。処理制御部２９は、ステップＳ１０において、全金種別カセットから搬出試行を行ったと判定する（ステップＳ１０：ＹＥＳ）と、搬出試行において紙幣入出金口１３及び一時保留部１５に搬送した紙幣を、リジェクト庫２３に搬送する（ステップＳ１１）。処理制御部２９がステップＳ１１の実行した後、ルーチンは終了する。
処理制御部２９は、ステップＳ１０において、まだ金種カセットの全てからは搬出試行を行っていないと判定する（ステップＳ１０：ＮＯ）と、まだ、搬出試行を行っていないカセットから紙幣を搬出する試行を行う（ステップＳ１２）。
【００３８】
処理制御部２９は、ステップＳ１２の実行後、ステップＳ２に戻り、ステップ１２において紙幣を搬出する試行を行ったカセットから紙幣が搬出できたか否かを判定する（ステップＳ２）。その後の処理は上述の説明と同様に行われる。
［運用モード決定ルーチン］
以下に、処理制御部２９で実行される運用モード決定ルーチンＲ３について、図４を参照して説明する。運用モード決定ルーチンＲ３においては、金種別カセット１９Ａ−１９Ｄの一部に異常がある場合には、出金処理において、異常がある金種別カセットのみを使用しな出金一部縮退モードで運用（取引）を継続する。すなわち出金一部縮退モードでは、異常がある金種別カセットから紙幣の搬出をしない縮退モードで運用（取引）を継続する。また、金種別カセット１９Ａ−１９Ｄの全てが異常である場合には、入金のみを受け付ける全出金縮退モードで運用（取引）を継続する。
【００３９】
運用モード決定ルーチンＲ３は、例えば、試し出し動作制御ルーチンＲ２が終了すると開始される。ルーチンが開始されると、処理制御部２９は、金種別カセット１９Ａ−１９Ｄの状態をチェックする（ステップＳ１）。このチェックは、例えば、試し出し動作制御ルーチンＲ２における判定を確認することで行う。
【００４０】
処理制御部２９は、ステップＳ１の実行後、金種別カセット１９Ａ−１９Ｄの中に異常カセットがあるか否かを判定する（ステップＳ２）。処理制御部２９は、ステップＳ２において、異常カセットがないと判定する（ステップＳ２：ＮＯ）と、通常モードで運用（取引）を継続することを決定する（ステップＳ３）。通常モードとは、特に機能の制限がない通常通りの運用モードである。
【００４１】
処理制御部２９は、ステップＳ２において異常カセットがあると判定する（ステップＳ２：ＹＥＳ）と、金種別カセット１９Ａ−１９Ｄの全てが異常か否かを判定する（ステップＳ４）。処理制御部２９は、ステップＳ４において、全てのカセットが異常であると判定する（ステップＳ４：ＹＥＳ）と、全出金縮退モードで運用（取引）を継続することを決定する（ステップＳ５）。全出金縮退モードとは、出金処理において、金種別カセット１９Ａ−１９Ｄからの出金、すなわち紙幣の搬出を行わずに、例えば顧客からの預け入れ取引のみを受け付けて、入金カセット２１への入金動作のみを行う、いわゆる縮退運転を行うモードである。
【００４２】
処理制御部２９は、ステップＳ４において、全てのカセットが異常ではないと判定する（ステップＳ４：ＮＯ）と、出金一部縮退モードで運用（取引）を継続することを決定する（ステップＳ６）。出金一部縮退モードとは、出金処理について、異常な金種別カセットからの出金、すなわち紙幣の搬出を行わずに、正常な金種別カセットのみから出金を行うモードである。このモードも全出金縮退モードと同様に、いわゆる縮退運転を行うモードである
処理制御部２９は、ステップＳ３、Ｓ５及びＳ６の実行後、操作表示部１１に決定されたモードを表示し（ステップＳ７）、その後ルーチンは終了する。なお、このモードの表示においては、例えば、図５に示すような表示画面を操作表示部１１に表示させてもよい。図５においては、一例として、上段の画面領域Ｄ１において、各カセットの状態が示され、下段の画面領域Ｄ２において、運用状態が示されている。
【００４３】
上記実施例のＡＴＭ１００によれば、紙幣収容部１７の交換後に、出金に使用する紙幣が収容されている複数のカセットのうちの一部または全部から正常に紙幣が搬出できない場合（異常状態の場合）に、係員等による特段の対処がなくともＡＴＭ１００の運用（取引）を中止せずに継続することが可能である。すなわち、例えば、出金処理において、紙幣を正常に搬出できないカセットを使用せずに、正常なカセットからのみ紙幣を搬出することで出金処理を行い、ＡＴＭ１００の運用（取引）を継続することが可能である。
【００４４】
また、例えば、出金に使用する紙幣が収容されている複数のカセットの全部が異常状態である場合には、入金のみを受け付けるモードにてＡＴＭ１００の運用（取引）を継続することが可能である。
【００４５】
すなわち、紙幣収容部１７の交換による不慮の障害があっても、実行可能な処理のみに縮退して運用（取引）することにより、ＡＴＭ１００の運用（取引）が完全に中断することを防止することが可能である。
［他の実施例］
［変形例１］
上記実施例１のＡＴＭ１００においては、異常な金種別カセットがある場合には、正常な金種別カセットからのみ出金する一部出金縮退モードで運用（取引）を行うこととした。しかし、１つでも異常な金種別カセットがある場合には、出金全体を取りやめる全出金縮退モードで運用（取引）を行うこととしてもよい。以下に、このような運用（取引）を行う例について説明する。
【００４６】
図６に、変形例１のＡＴＭ１００の処理制御部２９において実行されるルーチンの一例である運用モード決定ルーチンＲ４を示す。運用モード決定ルーチンＲ４は、例えば、試し出し動作制御ルーチンＲ２が終了すると開始される。ルーチンが開始されると、処理制御部２９は、金種別カセット１９Ａ−１９Ｄの状態をチェックする（ステップＳ１）。このチェックは、例えば、試し出し動作制御ルーチンＲ２における判定を確認することで行う。
【００４７】
処理制御部２９は、ステップＳ１の実行後、金種別カセット１９Ａ−１９Ｄの中に異常カセットがあるか否かを判定する（ステップＳ２）。処理制御部２９は、ステップＳ２において、異常カセットがないと判定する（ステップＳ２：ＮＯ）と、通常モードで運用（取引）を継続することを決定する（ステップＳ３）。通常モードとは、特に機能の制限がない通常通りの運用モードである。
【００４８】
処理制御部２９は、ステップＳ２において異常カセットがあると判定する（ステップＳ２：ＹＥＳ）と、全出金縮退モードで運用（取引）を継続することを決定する（ステップＳ４）。上述のように、全出金縮退モードとは、金種別カセット１９Ａ−１９Ｄからの出金、すなわち紙幣の搬出を行わずに、例えば顧客からの預け入れ取引のみを受け付けて、入金カセット２１への入金動作のみを行う、いわゆる縮退運転行うモードである。
【００４９】
処理制御部２９は、ステップＳ３及びＳ４の実行後、操作表示部１１に決定されたモードを表示し（ステップＳ５）、その後ルーチンは終了する。
【００５０】
変形例１のＡＴＭ１００によれば、ＡＴＭ１００において、紙幣収容部１７の交換後に、出金に使用する紙幣が収容されている複数のカセットのうちの一部または全部から正常に紙幣が搬出できない場合（異常状態の場合）であっても、ＡＴＭ１００の運用（取引）を中止せずに継続することが可能である。
【００５１】
また、金種別カセットのうちの一部に異常カセットがある場合にも、出金処理を行わないことで、中途半端な出金機能をユーザに提供して、ユーザが不便を感じたり不満を感じたりすることを防止することが可能である。
［変形例２］
上記実施例１のＡＴＭ１００においては、異常な金種別カセットがある場合には、正常な金種別カセットからのみ出金する一部出金縮退モードで運用（取引）を行うこととした。しかし、異常な金種別カセットが一定数以上ある場合には、出金全体を取りやめる全出金縮退モードで運用（取引）を行うこととしてもよい。以下に、このような運用（取引）を行う例について、例えば、金種別カセットの半数以上が異常カセットである場合に全出金縮退モードで運用（取引）する例について説明する。
【００５２】
図７に、変形例２のＡＴＭ１００の処理制御部２９において実行されるルーチンの一例である運用モード決定ルーチンＲ５を示す。運用モード決定ルーチンＲ５は、例えば、試し出し動作制御ルーチンＲ２が終了すると開始される。ルーチンが開始されると、処理制御部２９は、金種別カセット１９Ａ−１９Ｄの状態をチェックする（ステップＳ１）。このチェックは、例えば、試し出し動作制御ルーチンＲ２における判定を確認することで行う。
【００５３】
処理制御部２９は、ステップＳ１の実行後、金種別カセット１９Ａ−１９Ｄの中に異常カセットがあるか否かを判定する（ステップＳ２）。処理制御部２９は、ステップＳ２において、異常カセットがないと判定する（ステップＳ２：ＮＯ）と、通常モードで運用（取引）を継続することを決定する（ステップＳ３）。上述のように、通常モードとは、特に機能の制限がない通常通りの運用モードである。
【００５４】
処理制御部２９は、ステップＳ２において異常カセットがあると判定する（ステップＳ２：ＹＥＳ）と、金種別カセット１９Ａ−１９Ｄの半数以上（すなわち２つ以上）が異常か否かを判定する（ステップＳ４）。処理制御部２９は、ステップＳ４において、半数以上のカセットが異常であると判定する（ステップＳ４：ＹＥＳ）と、全出金縮退モードで運用（取引）を継続することを決定する（ステップＳ５）。上述のように、全出金縮退モードとは、出金処理において、金種別カセット１９Ａ−１９Ｄからの出金、すなわち紙幣の搬出を行わずに、例えば顧客からの預け入れ取引のみを受け付けて、入金カセット２１への入金動作のみを行う、いわゆる縮退運転行うモードである。
【００５５】
処理制御部２９は、ステップＳ４において、半数以上のカセットが異常ではないと判定する（ステップＳ４：ＮＯ）と、出金一部縮退モードで運用（取引）を継続することを決定する（ステップＳ６）。出金一部縮退モードとは、出金処理について、異常な金種別カセットからの出金すなわち紙幣の搬出を行わずに、正常な金種別カセットのみから出金を行うモードであり、このモードも全出金縮退モードと同様に、いわゆる縮退運転を行うモードである
処理制御部２９は、ステップＳ３、Ｓ５及びＳ６の実行後、操作表示部１１に決定されたモードを表示し（ステップＳ７）、その後ルーチンは終了する。
【００５６】
上記変形例２のＡＴＭ１００によれば、一定数以上の金種別カセット１９Ａ−１９Ｄが異常である場合に全出金縮退モードとなる。これにより、中途半端な出金機能をユーザに提供して、ユーザが不便を感じたり不満を感じたりすることを防止することが可能である。
［変形例３］
上記実施例１のＡＴＭ１００においては、異常な金種別カセットがある場合には、正常な金種別カセットからのみ出金する一部出金縮退モードで運用（取引）を行うこととした。しかし、ある紙幣の金種別カセットが全て異常である場合（例えば、千円券カセットまたは一万円券カセットの全てが異常である場合）には、出金全体を取りやめる全出金縮退モードで運用（取引）を行うこととしてもよい。以下に、このような運用（取引）を行う例について説明する。
【００５７】
図８に、変形例３のＡＴＭ１００の処理制御部２９において実行されるルーチンの一例である運用モード決定ルーチンＲ６を示す。運用モード決定ルーチンＲ６は、例えば、試し出し動作制御ルーチンＲ２が終了すると開始される。ルーチンが開始されると、処理制御部２９は、金種別カセット１９Ａ−１９Ｄの状態をチェックする（ステップＳ１）。このチェックは、例えば、試し出し動作制御ルーチンＲ２における判定を確認することで行う。
【００５８】
処理制御部２９は、ステップＳ１の実行後、金種別カセット１９Ａ−１９Ｄの中に異常カセットがあるか否かを判定する（ステップＳ２）。処理制御部２９は、ステップＳ２において、異常カセットがないと判定する（ステップＳ２：ＮＯ）と、通常モードで運用（取引）を継続することを決定する（ステップＳ３）。上述のように、通常モードとは、特に機能の制限がない通常通りの運用モードである。
【００５９】
処理制御部２９は、ステップＳ２において異常カセットがあると判定する（ステップＳ２：ＹＥＳ）と、金種別カセットのうち１の種類の紙幣の金種カセットが全て異常か否かを判定する（ステップＳ４）。例えば、カセット１９Ａ及び１９Ｂが千円券カセットであり、カセット１９Ｃ及び１９Ｄが一万円券カセットである場合、カセット１９Ａ及び１９Ｂの両方が異常であるか否かまたはカセット１９Ｃ及び１９Ｄの両方が異常であるか否かが判定される。
【００６０】
処理制御部２９は、ステップＳ４において、金種別カセットのうち１の種類の紙幣の金種カセットの全てが異常であると判定する（ステップＳ４：ＹＥＳ）と、全出金縮退モードで運用（取引）を継続することを決定する（ステップＳ５）。上述のように、全出金縮退モードとは、金種別カセット１９Ａ−１９Ｄからの出金を行わずに、例えば顧客からの預け入れ取引のみを受け付けて、入金カセット２１への入金動作のみを行う、いわゆる縮退運転行うモードである。
【００６１】
処理制御部２９は、ステップＳ４において、金種別カセットのうち１の種類の紙幣の金種カセットの全てが異常ではないと判定する（ステップＳ４：ＮＯ）と、出金一部縮退モードで運用（取引）を継続することを決定する（ステップＳ６）。上述のように、出金一部縮退モードとは、出金処理について、異常な金種別カセットからの出金を行わずに、正常な金種別カセットのみから出金を行うモードであり、このモードも全出金縮退モードと同様に、いわゆる縮退運転を行うモードである
処理制御部２９は、ステップＳ３、Ｓ５及びＳ６の実行後、操作表示部１１に決定されたモードを表示し（ステップＳ７）、その後ルーチンは終了する。
【００６２】
変形例３のＡＴＭ１００によれば、金種別カセット１９Ａ−１９Ｄがある所定のパターンで異常である場合（上記例では、１の種類の紙幣を収納するカセットの全てが異常である場合）に全出金縮退モードとなる。これにより、中途半端な出金機能をユーザに提供して、ユーザが不便を感じたり不満を感じたりすることを防止することが可能である。
【００６３】
なお、千円券カセットまたは一万円券カセットの何れかのみが全て異常である場合にのみ、全出金縮退モードとなるようにしてもよい。例えば、一万円券カセットのみが全て異常である場合にのみ全出金縮退モードとなるようにする場合には、千円券カセットが全て異常であっても、一万円券カセットが１つでも正常であれば、一部出金縮退モードで運用（取引）することとしてもよい。
［変形例４］
上記実施例１のＡＴＭ１００においては、精査処理がなされかつ紙幣収納部１７の交換がなされた場合に試し出し動作を実行するとした。しかし、試し出し動作において、異常なカセットがあると判定された場合には、当該試し出し動作の後に紙幣収納部１７の交換が無くとも、当該試し出し動作の終了から一定時間が経った後に、再度試し出し動作が行われてもよい。このような処理を行う場合を以下に説明する。
【００６４】
図９に変形例４のＡＴＭ１００の処理制御部２９によって実行される試し出し動作実行管理ルーチンＲ７を示す。試し出し動作実行管理ルーチンＲ２は、例えば、ＡＴＭ１００に電源が投入されると開始する。
【００６５】
ルーチンが開始されると、処理制御部２９は、精査処理がなされたか否かを判定する（Ｓ１）。この判定は、例えば、ＡＴＭ１００の管理者によって、タッチパネルを介して精査処理の操作が行われて、当該処理が終わった否かを判定することでなされてもよい。すなわち、精査処理が行われて、紙幣収納部１７から繰り出された全ての紙幣が再度紙幣収納部１７に収められたか否かで判定が行われてもよい。
【００６６】
処理制御部２９は、ステップＳ１において精査処理がなされたと判定する（ステップＳ１：ＹＥＳ）と、紙幣収納部１７の交換がなされたかを判定する（ステップＳ２）。この判定においては、例えば、紙幣収納部１７の存在を検知するセンサ（図示せず）が、一度紙幣収納部１７の不存在を検知し、その後再度紙幣収納部１７の存在を検知した場合に紙幣収納部１７が交換されたと判定されてもよい。
【００６７】
なお、上述のように、紙幣収納部１７毎に異なったＩＤ番号が付されている場合には、紙幣収納部１７のＩＤ番号を検出する検出機構（図示せず）がＡＴＭ１００に設けられていてもよい。例えば、この検出機構によって、ＩＤ番号を検出し、外された紙幣収納部１７と新たに取り付けられた紙幣収納部１７のＩＤ番号が異なっている場合に、紙幣収納部１７が交換されたと判定してもよい。
【００６８】
処理制御部２９は、ステップＳ２において、紙幣収納部１７の交換がなされたと判定する（ステップＳ２：ＹＥＳ）と、試し出し処理実行指令を発し（ステップＳ３）、その後ルーチンは終了する。
【００６９】
処理制御部２９は、ステップＳ１において、精査処理がなされていないと判定する（ステップＳ１：ＮＯ）か、または、ステップＳ２において、紙幣収納部１７の交換がなされていないと判定する（ステップＳ２：ＮＯ）と、異常なカセットが存在するか否かを判定する（ステップＳ４）。すなわち、前回の試し出し処理において、異常と判定されたカセットが存在するか否かを判定する。その後ルーチンは終了する。
【００７０】
処理制御部２９は、ステップＳ４において、異常なカセットが存在しないと判定する（ステップＳ４：ＮＯ）、その後ルーチンは終了する。処理制御部２９は、ステップＳ４において、異常なカセットが存在すると判定すると、前回の試し出し処理から一定時間（例えば１２時間）が経過したかを判定する（ステップＳ５）。
【００７１】
処理制御部２９は、ステップＳ５において、一定時間が経過したと判定する（ステップＳ５：ＹＥＳ）と、試し出し処理実行指令を発し（ステップＳ３）、その後ルーチンは終了する。処理制御部２９は、ステップＳ５において、一定時間が経過していないと判定する（ステップＳ５：ＮＯ）と、その後ルーチンは終了する。
【００７２】
変形例４のＡＴＭ１００によれば、異常なカセットに対して、再度試し出し動作を行うことで、異常なカセットを復帰させて通常運用モードに復帰させることが可能となる。すなわち、ＡＴＭ１００が自己復旧することが可能である。
【００７３】
なお、上記金種別カセット１９Ａ−１９Ｄは、リサイクルカセットでもよい。この場合、ＡＴＭ１００に入金された紙幣が、金種別カセット１９Ａ−１９Ｄに搬送されてもよい。
【００７４】
上述した実施例における種々の構成、ルーチンは例示に過ぎず、用途等に応じて適宜選択及び変更可能である。
【符号の説明】
【００７５】
１００        ＡＴＭ
１１          操作表示部
１３          紙幣入出金口
１５          紙幣一時保留部
１７          紙幣収納部
１９          金種別カセット
２１          入金カセット
２３          リジェクトカセット
２５          搬送部
２７          紙幣鑑別部
２９          処理制御部
【図１】
2017151763.tif 000003
【図２】
2017151763.tif 000004
【図３】
2017151763.tif 000005
【図４】
2017151763.tif 000006
【図５】
2017151763.tif 000007
【図６】
2017151763.tif 000008
【図７】
2017151763.tif 000009
【図８】
2017151763.tif 000010
【図９】
2017151763.tif 000011